(57)【特許請求の範囲】
【請求項１】
水の給水を目的とした垂直配管（１）を外壁（２）に沿って配管する構造に於いて、該垂直配管（１）の下部を前記外壁（２）を斜めに貫通させた穴（11）内に挿通して該外壁（２）の下外方に露出すると共に、
該垂直配管（１）を前記外壁（２）の外面に固定された平板（７）に前記穴（11）の傾斜角度に対応した傾斜パイプ（８）を該外壁（２）の下方に斜めに傾斜されて取り付けた治具（９）の該傾斜パイプ（８）内に挿入し、更に前記外壁（２）の穴（11）内に挿通され且つ前記外壁（２）の内側の該垂直配管（１）は該外壁（２）の上内方に配管し、
前記外壁（２）の外側の該垂直配管（１）端部は給水管（６）にエルボ（５）を介して連結し、該外壁（２）の下外方に露出した前記垂直配管（１）と前記給水管（６）と前記エルボ（５）とを共に保護カバー（13）によって全体的に被覆して
構成したことを特徴とした垂直配管の外壁貫通構造。
【発明の詳細な説明】
【０００１】
【発明の属する技術分野】
本発明は給水を目的とした垂直配管を外壁に取付ける構造であって、特に、外壁下外方に露出した垂直配管を外壁に貫通させて外壁上内方に配管する構造に関するものである。
【０００２】
【従来の技術】
従来、中低層住宅の給水を目的とした垂直配管を建物に配管するに当っては、一般的に垂直配管が建物の外部に露出することを防止するために、地中埋設配管から直接基礎埋込み部に設けたスリーブを通して家内に引込み、壁内に沿わせて配管していた。この場合使用される配管材料は、硬質材からなる直管が用いられ、折曲げる場合にはエルボを介して略直角に連結していた。
【０００３】
その理由は、垂直配管を建物の外部に露出させた場合には、外観が意匠的に悪くなる問題や、垂直配管が冬期の凍結または外部衝撃によって破損したり、垂直配管の外周に巻き付けられている保温材が紫外線によって劣化する等の多くの問題があったために、前述のような配管にしていた。
【０００４】
【発明が解決しようとする課題】
然るに、前述のように地中埋設配管から直接基礎埋込部に設けたスリーブを通して家内に引込みして垂直配管を建物内に配管する場合には、前述のように外観が意匠的に優れており、かつ外部に露出した垂直配管が凍結、外部衝撃、紫外線等によって損傷される問題は解決出来るが、その一方で地震時に垂直配管が損傷を受けた場合、或は垂直配管に寿命が来て取替更新をしなければならない場合には、壁や床の一部取り壊しが必要となり、メンテナンス作業が煩雑で費用が嵩む等の問題があった。
【０００５】
一般的に、地震の際には建築物と一体の動きをする建築物側に固定された垂直配管と、地盤と一体の動きをする給水管とは夫々別々の動きをするので、両者の結合部は地震の際に損傷を受け易い問題があった。
【０００６】
本発明に係る垂直配管の外壁貫通構造は、前述の多くの問題点に鑑み開発された全く新しい発明であって、特に、地震時の損傷或は寿命が来て取替更新する場合に、極めて簡単に要部のメンテナンスが出来、かつ該給水用の垂直配管が外壁の内外壁面に大きく突出することがないようにした技術を提供するものである。
【０００７】
【課題を解決するための手段】
本発明に係る垂直配管の外壁貫通構造は、前述の問題点を根本的に改善した発明であって、その要旨は、水の給水を目的とした垂直配管（１）を外壁（２）に沿って配管する構造に於いて、該垂直配管（１）の下部を前記外壁（２）を斜めに貫通させた穴（11）内に挿通して該外壁（２）の下外方に露出すると共に、該垂直配管（１）を前記外壁（２）の外面に固定された平板（７）に前記穴（11）の傾斜角度に対応した傾斜パイプ（８）を該外壁（２）の下方に斜めに傾斜されて取り付けた治具（９）の該傾斜パイプ（８）内に挿入し、更に前記外壁（２）の穴（11）内に挿通され且つ前記外壁（２）の内側の該垂直配管（１）は該外壁（２）の上内方に配管し、前記外壁（２）の外側の該垂直配管（１）端部は給水管（６）にエルボ（５）を介して連結し、該外壁（２）の下外方に露出した前記垂直配管（１）と前記給水管（６）と前記エルボ（５）とを共に保護カバー（13）によって全体的に被覆して構成したことを特徴とした垂直配管の外壁貫通構造である。
【０００８】
前述の本発明に係る垂直配管の外壁貫通構造に於いては、水を給水し得る垂直配管を外壁に沿って配管するに当って、該垂直配管の下部は外壁下外方に露出するように構成したので、地震の際に損傷を受け易い垂直配管と給水管との結合部等の要部を簡単にメンテナンスすることが出来る。また、寿命が来て垂直配管を取替更新する場合、特にさや管内の本管の更新時にも、垂直配管を外壁の貫通穴から抜き取って容易に交換することが出来る。
【０００９】
さらに、前記垂直配管は外壁に斜めに貫通されているので、外壁を水平に貫通させた場合と異なり、外壁の貫通部に続く壁面に沿って配管することが出来、従って、貫通した内壁の周りに垂直配管が大きく突出することがなく、内壁の仕上げ寸法を特別に大きくすることを不要とすることが出来る。また、給水管の地上部分に免震用のフレキシブルジョイントを用いれば、地震時に給水管の損傷を未然に防ぐことが可能となる。
【００１０】
【発明の実施の形態】
図により本発明に係る垂直配管の外壁貫通構造の一実施例を具体的に説明すると、図１は本発明に係る第１実施例の垂直配管の外壁貫通構造の側面図、図２は図１の要部の縦断面拡大説明図、図３は本発明の第２実施例の垂直配管の外壁貫通構造の側面図、図４は本発明の第３実施例の垂直配管の外壁貫通構造の側面図である。
【００１１】
図１及び図２によって、本発明の第１実施例を具体的に説明すると、１は垂直配管であって、建物の外壁２に沿って垂直に配管されている。この垂直配管１は、特に図２に例示する如く、さや管３の中に本管４が挿通されて構成されている。
【００１２】
前記垂直配管１は、図に示す如く、外壁２の下部外方に露出した状態で配管され、かつ外壁２に途中で略４５度斜めに貫通されて外壁２の内面に沿って建物の上部に配管されている。該垂直配管１の下端部は１３５度のエルボ５を介して硬質の給水管６の上端部に連結されている。
【００１３】
前記垂直配管１を外壁２に斜め方向に貫通されるに当っては、平板７に傾斜パイプ８を取付けた治具９が利用されている。該治具９の平板７を外壁２の外面に当接してビス１０を介して治具９を外壁２に取付け固定する。この時、治具９の傾斜パイプ８は外壁２の下方に斜めに傾斜されている。
【００１４】
従って、この傾斜パイプ８を利用し、この傾斜パイプ８の中にコアドリル（図示せず）を挿通することによって、傾斜パイプ８の内径と略等しくかつ傾斜パイプ８と等しい傾斜度を持った穴１１を外壁２に貫通させることが出来る。
【００１５】
垂直配管１を外壁２に挿通させるに当っては、外壁２の外方に露出した垂直配管１を治具９の傾斜パイプ８に挿入し、さらに外壁２の穴１１に挿通することによって、垂直配管１を外壁２の内側に貫通させることが出来る。図中１２は防水シール材、１３は給水管６，垂直配管１及び治具９を被覆することが出来る保護カバー、１４は給水管６の支持金物、１６は垂直配管１の周りに設けられたパッキンである。
【００１６】
前述の本発明の第１実施例に於いては、外壁２の下部外方に垂直配管１を配管し、外壁２の外側で給水管６にエルボ５を介して連結するようにしたので、地震時等に於いて、垂直配管１或は垂直配管１と給水管６との連結部が故障した場合にも、外部に露出している部分を補修すれば良いので、簡単にメンテナンスをすることが出来る。さらに、垂直配管１が寿命が来て取替更新する場合にも、垂直配管１を外壁２の穴１１より抜き取り、かつ給水管６より取り外すことによって極めて簡単に交換することが出来る。
【００１７】
また、前記第１実施例に於いては、垂直配管１が外壁２に斜めに貫通されているので、垂直配管１を外壁２に水平に貫通させた場合と異なり、貫通させた後の垂直配管１を外壁２の壁面に沿って近接してスムーズに配管することが出来、垂直配管１の湾曲部が外壁２の内方に大きく突出することがなく、従って、この内壁１８を一般壁部と同様に体裁よく治めることが出来る。
【００１８】
さらに、外壁２の外方に露出した部分の垂直配管１は、給水管６、エルボ５等と共に保護カバー１３によって全体的に被覆されているので、外観上体裁も良く、かつ外部からの衝撃、紫外線或は冷気からも保護することが出来る。加えて、該垂直配管１は基礎工事に関係ないので、基礎工事時のスリーブ入れ工事が不要となり、水道工事業者の現場へ行く回数を減らすことになり、これによって施工の合理化を図ることが出来、メンテナンスも容易に出来る。
【００１９】
図３に示す本発明の第２実施例に於いては、前記第１実施例と同様に、外壁２の下部で、斜めに外壁２を貫通させた垂直配管１を外壁２の内面に沿って配管させた後で、さらに２階の床１５を通して２階の外壁２の内壁に沿って配管している。
【００２０】
図４に示す本発明の第３実施例に於いては、給水管６を建物の外壁２の外方に沿って、高い場所まで配管し、建物の２階の床１５を過ぎた部分で外壁２を斜めに貫通させて外壁２の内側に露出させて配管している。該第２実施例を第３実施例の基本的原理は、前記第１実施例の原理と全く同じである。
【００２１】
【発明の効果】
本発明に於いては、水を給水し得る垂直配管を外壁に沿って配管するに当って、該垂直配管の下部は外壁下外方に露出するように構成したので、地震の際に損傷を受け易い垂直配管と給水管との結合部等の要部を簡単にメンテナンスすることが出来る効果を有している。また、寿命が来て垂直配管を取替更新する場合にも、垂直配管を外壁の貫通穴から抜き取って容易に交換することが出来る効果も有している。
【００２２】
さらに、前記垂直配管は外壁に斜めに貫通されているので、外壁に水平に貫通させた場合と異なり、比較的硬い垂直配管の場合にも、外壁の貫通部に続く壁面に沿って配管することが出来、従って、貫通した内壁の周りに垂直配管が大きく突出することがないという効果も有している。
【００２３】
また、前述の如く２階に垂直配管を配管した場合には、独立性の高い二世帯住宅，集合住宅に於いて、１階に位置する他世帯又は他住戸内を通過することなく配管出来るので、万一の漏水事故時にも、被害を最小限に抑えることが出来ると共に、メンテナンス時も独立して行うことが可能となる等の効果を有している。
【図面の簡単な説明】
【図１】  図１は本発明に係る第１実施例の垂直配管の外壁貫通構造の側面図である。
【図２】  図２は図１の要部の縦断面拡大説明図である。
【図３】  図３は本発明の第２実施例の垂直配管の外壁貫通構造の側面図である。
【図４】  図４は本発明の第３実施例の垂直配管の外壁貫通構造の側面図である。
【符号の説明】
１…垂直配管
２…外壁
３…さや管
４…本管
５…エルボ（１３５°）
６…給水管
７…平板
８…傾斜パイプ
９…治具
１０…ビス
１１…穴
１２…防水シール材
１３…保護カバー
１４…支持金物
１５…床
１６…保温材
１７…保温材
１８…内壁
【図１】
0004145058.tif 000002
【図２】
0004145058.tif 000003
【図３】
0004145058.tif 000004
【図４】
0004145058.tif 000005